(57)【要約】      （修正有）【課題】特別な素材を使用したり、特別な加工やペイント等をしなくとも、安価で審美性に優れたフロアタイルを提供する。【解決手段】透明な硬質プラスチック素材からなる表層板２と、周面に枠部を備える硬質プラスチック素材からなる凹状の中層板３と、クッション素材からなる底層板５とからなり、表層板２と中層板３との間に密閉間隙が形成されるよう表層板２と中層板３枠部上面とを接合封着し、この密閉間隙内に着色液４を封入し、中層板３底面に底層板５を合着してなる積層フロアタイルとし、表層板２に押圧力を加えることによって封入された着色液４が流動し色調変化を生じさせるよう構成する。【選択図】図１
0003215620.tif 000002
【実用新案登録請求の範囲】
【請求項１】
透明な硬質プラスチック素材からなる表層板と、周面に枠部を備える硬質プラスチック素材からなる中層板と、クッション素材からなる底層板とからなり、前記表層板と中層板との間に密閉間隙が形成されるよう表層板下面と中層板枠部上面とを接合封着し、この密閉間隙内に着色液を封入するとともに、前記底層板を中層板下面に合着してなるフロアタイルであって、表層板に押圧力が加わると封入された着色液が流動し色調変化が生じるよう構成したことを特徴とするフロアタイル。
【請求項２】
少なくとも前記表層板が、ポリカーボネート素材からなることを特徴とする請求項１に記載のフロアタイル。
【請求項３】
前記表層板の上面にエンボス加工を施したことを特徴とする請求項１及び請求項２に記載のフロアタイル。
【請求項４】
前記密閉間隙内に封入した着色液を、不溶性着色液としたことを特徴とする請求項１乃至請求項３に記載のフロアタイル。
【考案の詳細な説明】
【技術分野】
【０００１】
本考案は、主に屋内の床面などに敷設するフロアタイルに関し、詳しくは、二枚のプラスチック板間に形成した密閉間隙に着色液を封入し、該着色液の流動現象に伴う色調変化によって装飾性を発揮するフロアタイルに関する。
【背景技術】
【０００２】
従来、装飾効果を狙ったタイルパネルは多く提案されているが、何れも耐久性、経済性又は装飾性などに難がある。例えば、特許文献１に記載の発明にあっては、複数枚の板状ガラスの互いに接する面の一方又は双方に蛍光又は蓄光性能を有する発光材と粉体状フリットとの混合物を塗布した後、積層した板状ガラスを加熱して上記フリットを溶解することにより互いに接着させ発光性ガラスタイルとしたものであるが、この発明では、板ガラスを積層して高温（７００℃）加熱溶着することが必要であるため、ガラス素材からなるタイルでないと適用できない。
【０００３】
また、特許文献２に記載の発明にあっては、ベースフィルム表面にインク吸収層を積層し、このインク吸収層にインクジェットにより印刷を施して印刷層を積層し、さらに、その上にホットメルト接着剤層を介してトップフィルムを積層し、ベースフィルム裏面に接着剤層を介してタイル基材を積層する構成からなるが、この発明では、インクジェット方式による模様や絵柄の印刷を行っているため、少量生産には適しているものの、大量生産の場合にも使用材や製作工程は変わらないので、結果において大量生産によるコストダウンを図ることは出来ない。
【０００４】
また、特許文献３に記載の発明にあっては、床基材に下地塗装層、中間塗装層、トップコート塗装層を順に設層し、該中間塗装層には高輝性鱗片状物質を含む構成とされている。この発明では、床材表面に光が当たると中間塗装層に含まれる高輝性鱗片状物質に反射して輝くことによって装飾性を向上させることができるとされているが、この輝きは外部からの照射に依拠するもので、照射が無かったり弱い場合やその角度によっては装飾性を十分に発揮できない。また、木質系基材の上に３層の塗装層を形成する構造となっていて、下地塗装層には顔料等の着色剤を、中間塗装層には酸化チタンにコートされた高輝性鱗片状物質を含ませたポリエステル樹脂とセルロース誘導体の混合物を、トップコート層には硬化性透明塗料を用いるなど、それぞれ組成の異なる素材を塗布して加熱硬化する必要があるため、製作工程が複雑で時間とコストが掛かる問題がある。
【０００５】
また、特許文献４に記載の発明にあっては、透明度の高い導光板の裏面に銀鏡膜を設け、この銀鏡膜の一部を除去すると共に導光板に粗面加工を施して絵柄領域を形成し、さらに導光板の測端面にＬＥＤ等の光源を配置した構成となっていて、光源を点灯させて導光板の測端面から内部へ光を投射する構成となっている。この発明にあっては、投射光が導光板に形成した粗面（凹凸）によって散乱して絵柄領域に形成した絵柄が光によって表面に浮き上がるようにしたものであるから、従来にない独特の意匠性を発揮させることは可能であるが、導光板に粗面加工を施して絵柄領域を形成しなければならず、また、導光板の測端面にＬＥＤ等の光源を配置しなければならないため、手間と費用が掛かるのみならず、光源の設置スペースも必要となって、一般に広く採用され得る床材としては不向きである。
【０００６】
そして、上述した特許文献で開示され発明は、何れの発明であっても、
その装飾要素は、製作過程でプリントやペイント又は表面加工等によって予め付与された規定の模様や絵柄であって、見る方向や光の照射等による視認上の変化はあるにしても、付与された模様や絵柄自体が変化するものではない。
【先行技術文献】
【特許文献】
【０００７】
【特許文献１】特開平９−２７８４９６号公報
【特許文献２】特開２００２−８９０２４号公報
【特許文献３】特開２００８−２６７０４７号公報
【特許文献４】特開２００３−１４５９９９号公報
【考案の概要】
【考案が解決しようとする課題】
【０００８】
本考案は、上記従来技術の問題点に鑑みなされたもので、わざわざ特別な素材を使用したり、特別な加工やペイント等をしなくとも、板材に安価で加工が容易なプラスチック素材を使用し、しかも、装飾性に優れたフロアタイルの提供を課題とする。
【課題を解決するための手段】
【０００９】
上記課題を解決するため、請求項１に記載の考案は、透明な硬質プラスチック素材からなる表層板と、周面に所定の枠部を備える硬質プラスチック素材からなる中層板と、クッション素材からなる底層板とからなり、前記表層板と中層板との間に密閉間隙が形成されるよう表層板と中層板枠部上面とを接合封着し、この密閉間隙内に着色液を封入すると共に、中層板下面に前記底層板を合着してなるフロアタイルであって、表層板に押圧力を加えることによって封入された着色液が流動し色調変化を生じさせるよう構成したことを特徴とする。
【００１０】
請求項２に記載の考案は、請求項１に記載のフロアタイルにおいて、少なくとも前記表層板を、ポリカーボネート素材によって形成したことを特徴とする。
【００１１】
請求項３に記載の考案は、請求項１及び請求項２に記載のフロアタイルにおいて、前記表層板の上面にエンボス加工を施したことを特徴とする。
【００１２】
請求項４に記載の考案は、請求項１乃至請求項３に記載のフロアタイルにおいて、前記密閉間隙内に封入した着色液を、不溶性液としたことを特徴とする。
【考案の効果】
【００１３】
本考案は上記構成よりなり、請求項１に記載の考案に係るフロアタイルは、表層板と中層板との間に密閉間隙が形成され、そこに着色液を封入してあるため、踏むなどして表層板に押圧力を加えると封入された着色液が流動して色の濃淡や強弱などの色調変化が生じ色模様が連続的に変化し、装飾効果が高く楽しめるフロアタイルとすることができる。
【００１４】
請求項２に記載の考案に係るフロアタイルは、表層板をポリカーボネート素材によって形成したことにより、ポリカーボネイトの特性、すなわち、耐衝撃性、耐熱性及び透明性に加え、表層板に対する押圧力が効果的に着色液に伝わる伸縮性を持つため、機能的にも装飾的にも優れたフロアタイルとすることが出来る。
【００１５】
請求項３に記載の考案に係るフロアタイルは、表層板の上面にエンボス加工を施したことにより、クッション性や滑りを防ぐ摩擦力の向上により床材としての機能を強化することができ、また、平滑面にはない触感や意匠を得ることができる。
【００１６】
請求項４に記載の考案に係るフロアタイルは、前記密閉間隙内に封入した着色液を不溶液としたことにより、複数の色からなる着色液を混入した場合であっても色の混合（混色）が生じず、注入時の色を維持しての多色混在した色模様を創出することができる。
【図面の簡単な説明】
【００１７】
【図１】本考案に係るフロアタイルの各部材の分離斜視図。
【図２】同上断面図
【図３】同上フロアタイルの中層板を、枠部と平板部とをそれぞれ別体として形成した場合の分離斜視図。
【図４】同上中層板の斜視図
【図５】同上中層板の断面図
【考案を実施するための形態】
【００１８】
以下、本考案の実施の形態を図面に基づいて説明する。
図面は、本考案に係るフロアタイルの実施形態を示すもので、その全形は、凡そ厚さが６〜８ｍｍ、縦横巾が５００ｍの正方形状になっている。図１はフロアタイル１を構成する各層板部材を分離した状態を示す斜視図で、図２は完成時の断面図である。そして、本考案に係るフロアタイル１は、表層板２、中層板３、底層板５の各板部材と、表層板２と中層板３との間隙に封入された着色液４によって構成されている。
【００１９】
タイルの最上位に配置される表層板２は、厚さ２ｍｍ前後の透明な硬質プラスチック素材によって形成されている。プラスチック素材としては、アクリル樹脂、塩ビ、ポリカーボネート、ＡＢＳ樹脂等があるが、本実施形態では、耐衝撃性や耐熱性に優れ、加えて伸縮性や透明性にも優れたポリカーボネート樹脂を使用している。また、表層板２の上面には透明性を余り損なうことのない程度に、微細なエンボス加工が施されていて、滑りを防ぐ摩擦力を持たせると同時に、平滑面にはないソフトな触感と意匠を与えている。
【００２０】
タイルの中位に配置される中層板３は、平板部３ａの周面上に枠部３ｂを備えた全形が凹状の板部材で、硬質プラスチック素材によって形成されている（図２参照）。平板部３ａは、前記表層板２と同様に厚さ２ｍｍ程の正方形状をなし、また、枠部２ｂは、巾１５０ｍｍ、高さ１〜２ｍｍ前後で表層板２と同様の外形からなる正方形状をなしている。
【００２１】
なお、この中層板３は、平板部３ａと枠部３ｂとをそれぞれ別体で形成し、その後にこれを合着して形成してもよい（図３乃至図５参照）。また、中層板３の少なくとも平板部３ａの表面色は、着色液４の色調変化がより鮮明に視認出来るような背景色とすることが好ましく、多くの場合、無色と認識され易い白色とすることが好ましい。
【００２２】
タイルの最下位に配置される底層板５は、厚さが大凡２ｍｍ程で、前記表層板２と同様に縦横巾が５００ｍの正方形状になっている。この底層板５には、例えば、ＥＶＡ（エチレン・酢酸ビニル共重合樹脂）発泡体等のクッション性の優れた素材を使用するのが好ましく、また、施設後の滑り防止策として、底面部に特殊エンボス加工、又は溝を刻設するなどして摩擦抵抗の強い面形状にしておくと良い。
【００２３】
本実施形態に係るフロアタイル１は、上記各板部材と着色液が積層されたタイルで、中層板３の上面部に形成された凹溝内に所望の着色液４を適量注入した後、中層板枠部３ｂと表層板２の接合面を密閉合着する。これによって、表層板２と中層板３との間には密閉間隙が形成され、該密閉間隙内に着色液４が封入された状態となる。さらに、中層板３の下面に底層板５を合着して完成させる。
【００２４】
本件フロアタイル１は、踏むなどして表層板２に押圧力が加わると、密閉間隙内に封入されている着色液４はその押圧力に連動して流動し、色の濃淡や気泡との混ざり具合などによって色模様の連続的な変化が生じる。この変化は、押圧力の加わる箇所やその強弱、色の種類や着色液の性質、単色であるか多色であるか、さらには、敷設場所における照明や温度などの環境要因によっても様々で、無限といえるほど多様でその審美的効果は極めて高い。
【００２５】
特に、子供部屋などのキッズスペース、人が多く集まるライブ会場などの娯楽スペース、多店舗商業スペース等のフロア又は通路等に本件フロアタイルを敷設すると、装飾的に優れたインテリアフロアとすることが出来るだけでなく、人の動作によって色模様が動的に変化し楽しめるスペースを演出することができる。
【符号の説明】
【００２６】
１：フロアタイル
２：表層板
３：中層板
３ａ：中層板平板部
３ｂ：中層板枠部
４：着色液
５：低層板
【図１】
0003215620.tif 000003
【図２】
0003215620.tif 000004
【図３】
0003215620.tif 000005
【図４】
0003215620.tif 000006
【図５】
0003215620.tif 000007
【手続補正書】
【提出日】平成30年2月3日(2018.2.3)
【手続補正１】
【補正対象書類名】実用新案登録請求の範囲
【補正対象項目名】全文
【補正方法】変更
【補正の内容】
【実用新案登録請求の範囲】
【請求項１】
透明な硬質プラスチック素材からなる表層板と、周面に枠部を備える硬質プラスチック素材からなる中層板と、クッション素材からなる底層板とからなり、前記表層板と中層板との間に密閉間隙が形成されるよう表層板下面と中層板枠部上面とを接合封着し、この密閉間隙内に着色液を封入するとともに、前記底層板を中層板下面に合着してなるフロアタイルであって、表層板に押圧力が加わると封入された着色液が流動し色調変化が生じるよう構成したことを特徴とするフロアタイル。
【請求項２】
少なくとも前記表層板が、ポリカーボネート素材からなることを特徴とする請求項１に記載のフロアタイル。
【請求項３】
前記表層板の上面にエンボス加工を施したことを特徴とする請求項１または請求項２に記載のフロアタイル。
【請求項４】
前記密閉間隙内に封入した着色液を、不溶性着色液としたことを特徴とする請求項１乃至請求項３のいずれか一項に記載のフロアタイル。
【手続補正２】
【補正対象書類名】明細書
【補正対象項目名】００１１
【補正方法】変更
【補正の内容】
【００１１】
請求項３に記載の考案は、請求項１または請求項２に記載のフロアタイルにおいて、前記表層板の上面にエンボス加工を施したことを特徴とする。
【手続補正３】
【補正対象書類名】明細書
【補正対象項目名】００１２
【補正方法】変更
【補正の内容】
【００１２】
請求項４に記載の考案は、請求項１乃至請求項３のいずれか一項に記載のフロアタイルにおいて、前記密閉間隙内に封入した着色液を、不溶性液としたことを特徴とする。